(57)【要約】【課題】  この発明は、剪断に強い索具を得ることを目的としたものである。【解決手段】  金属製コイルスプリングの外側に、筒状の軟質被覆体を蛇腹状にして伸縮自在に嵌装し、前記軟質被覆体の両端に帯状部を介して夫々フックを連結したことを特徴とする工具用安全索具により前記目的を達成した。【選択図】図１
2012024870.tif 000002
【特許請求の範囲】
【請求項１】
金属製コイルスプリングの外側に、筒状の軟質被覆体を蛇腹状にして伸縮自在に嵌装し、前記軟質被覆体の両端に帯状部を介して夫々フック又は連結具を連結したことを特徴とする工具用安全索具。
【請求項２】
金属製コイルスプリングの外側に、筒状の軟質被覆体を蛇腹状にして伸縮自在に嵌装し、前記軟質被覆体の両端に帯状部と連結金具を介して夫々フックを連結したことを特徴とする工具用安全索具。
【請求項３】
金属製コイルスプリングの外側に、筒状の軟質被覆体を蛇腹状にして伸縮自在に嵌装し、前記軟質被覆体の両端に帯状部を介して夫々フックを連結し、前記帯状部へ索具の強度低下を安全表示を付設したことを特徴とする工具用安全索具。
【請求項４】
金属製コイルスプリングの外側に、筒状の軟質被覆体を蛇腹状にして伸縮自在に嵌装し、前記軟質被覆体の両端に帯状部と連結金具を介して夫々フックを連結し、前記帯状部へ索具の強度低下を目視できる安全表示を付設したことを特徴とする工具用安全索具。
【請求項５】
金属製コイルスプリングの外側に、筒状の軟質被覆体を蛇腹状にして伸縮自在に嵌装し、前記軟質被覆体の両端に帯状部と連結金具を介して夫々フックを連結し、前記帯状部を屈曲し重ねて糸で縫着し、該糸の破断により危険を予知させる安全表示を付設したことを特徴とする工具用安全索具。
【請求項６】
コイルスプリングは、材質がＳＵＳ３０４で、線径０．５ｍｍの線を３３０℃に加熱し、次いで常温空気中に１５分間冷却したことを特徴とする請求項１〜５の何れか一項記載の工具用安全索具。
【発明の詳細な説明】
【技術分野】
【０００１】
この発明は、工事現場（主として高所）で、作業員の手から工具が離れた時に、工具が落下しないように工具を予め吊下して置く際に使用する工具用安全索具に関する。
【背景技術】
【０００２】
従来、作業員が高所で作業する際、誤って工具が手から離れると工具が落下して損傷するおそれがあるのみならず、工具の当たった物を壊したり、人に危害を加えるおそれがあるので、工具類を予め安全索具に吊すことが普通に行われている。そして安全索具の長さは７０ｃｍ位であるが、作業の自由度から１３０ｃｍ位まで伸縮するように作られている。
【先行技術文献】
【特許文献】
【０００３】
【特許文献１】実用新案登録第３１５６５０４号公報
【発明の概要】
【発明が解決しようとする課題】
【０００４】
従来使用されている工具落下防止用連結索具は、螺旋状のスプリング線材が使用されていたので、使用中に絡み易い問題点があった。
【０００５】
そこで前記問題点を解決する連結索具としてフレキシブル伸縮ロープ体（ゴム体）の外周に伸縮可能な軟質被覆体を被着した改良索具が提案され、好評裡に使用されている（特許文献１）。
【０００６】
前記軟質被覆体は、強靱な織布よりなり、工具等の落下衝撃に耐え得る強度を有し、絡まるおそれもなく使用に耐え得るものであるが、索具として使用中剪断力を加えられた場合に切断されるおそれがある。
【０００７】
通常の使用中に剪断力を受けるおそれはないが、例えば、風に揺れて向き合った金属縁に挟まれた場合には、容易に剪断される問題点がある。即ち長手方向の引張力に対しては必要な強度を保有できるけれども、長手方向と直角の方向に挟まれ、その挟着縁が近接方向に移動することによって、容易に剪断されることが判明した。
【０００８】
また、従来使用されている索具は、販売当初必要な強度を具備していたとしても、使用中に強度が低下するおそれがあるが、強度の低下状態が使用者に解らない問題点があった。即ち壊れるまで使用するので、壊れた時に不慮の事故を生じるおそれがあった。前記使用例においては、軟質被覆体の破断事故であるが、破断する迄に何らかの徴候があれば気付くことが多い。この種の索具は、落下時のショックが最も大きいので、落下時に事故を起こすことになり、これを予め防止することが極めて難しい問題点があった。
【課題を解決するための手段】
【０００９】
この発明は、金属製のコイルスプリングの外側に軟質被覆体を伸縮可能に被着することによって、前記従来の問題点を解決したのである。
【００１０】
また、材料の劣化による突然の破断防止については、例えば軟質被覆体の強度より弱い部分を介装し、該部の破壊によって、危険を予知するようにして前記従来の問題点を解決した。尤も前記破壊は単なる危険印の開示に止まり、全体の破壊とは無関係にしてあるので、予知に関し危険を生じるおそれはない。
【００１１】
例えば、前記索具の一部に屈曲縫着部を設け、前記縫着部の糸の強度を軟質被覆体の強度以下に規制しておいて、該糸の破断により屈曲縫着部がとけて内部の赤色表示その他の危険信号が表れるようにして、前記従来の問題点を解決したのである。
【００１２】
前記コイルスプリングの剪断強度については、十分考慮できるので、不慮の事故を生じるおそれはない。
【００１３】
この発明の金属製のコイルスプリングは色々の材質があって、目的の強度があれば何れも使用することができるが、事故を未然に防止するために、「ＳＵＳ３０４で線径０．５ｍｍ、３３０℃に加熱し、常温空気中で１５分間冷却することにより、所定強度のコイルスプリングを得た。
【発明の効果】
【００１４】
この発明は、伸縮ロープ体として金属線よりなるコイルスプリングを用いたので、索具が二つの移動縁に挟まっても、剪断されるおそれがない。従って剪断防止の目的を達成できる効果がある。また、索具の一部に安全限度表示をするので、この表示を見て使用限度以前に索具を取り換え、事故を未然に防止し得る効果がある。
【００１５】
前記におけるコイルスプリングの強度と安全限度の物を自由に製造できるので、製造者が任意に選定することができる。
【図面の簡単な説明】
【００１６】
【図１】（ａ）この発明の実施例の一部を省略した正面図、（ｂ）同じく一部伸長拡大図、（ｃ）同じく一部拡大図。
【図２】（ａ）同じく安全表示部の一部拡大平面図、（ｂ）同じく一部拡大正面図、（ｃ）同じく一部展開図。
【図３】（ａ）同じくコイルスプリングの固定状態を示す一部拡大図、（ｂ）同じく安全表示の他の実施例の一部拡大平面図、（ｃ）同じく一部拡大正面図。
【発明を実施するための形態】
【００１７】
この発明は、金属線よりなるコイルスプリングの外側に強靱な繊維布よりなる筒状体（軟質被覆体）を蛇腹状に折畳して伸縮可能に被着し、前記軟質被覆材の両端に同質の帯状部をそれぞれ連設し、該帯状部の外端部へ連結金具を介してフック金具をそれぞれ連結したものである。前記コイルスプリングの両端は、前記帯状部において止金具に固定してある。
【００１８】
前記におけるフック金具及び連結金具は、従来公知であるが、コイルスプリングはこの出願の索具用に新しく成作したものである。このコイルスプリングは線材をコイル状に巻き、焼を入れコイルスプリングとすることは通常のとおりであるが、その材質及び太さ、コイルの直径及び断面形状は要求に沿って適宜定めることができる。
【００１９】
この発明のコイルスプリングの吊下性能に関しては、吊下すべき工具の主として重量により適宜定める。
【実施例１】
【００２０】
この発明の実施例を図１、２に基づいて説明する。金属線よりなるコイルスプリング１の外側に、織布よりなる筒状袋２を蛇腹状に伸縮自在に嵌装し、前記筒状袋２の両端部に同質織布よりなる連結帯３、４の一端をそれぞれ連結し、各連結帯３、４の他端に連結金具５、５をそれぞれ連結し、各連結金具５、５にフック金具７、７をそれぞれ連結し、前記連結帯３、３の止金６、６へ前記コイルスプリング端を固定して、この発明の安全索具１０を構成した。
【００２１】
前記コイルスプリングは、例えばＳＵＳ３０４の材質の線径０．５ｍｍを用い、３３０℃に加熱し、常温空気による１５分間熱処理を行った。
【００２２】
前記連結帯４を所定幅（例えば２ｃｍ）の重ね合わせ部８とし、該重ね合わせ部８を縫糸９で縫着し、最下部の重ね部８ａ上に紅色部１１を設けたもので、重ね部８ａ、８ｂが互いに重なるものとする。前記縫糸９、９は荷重が９０ｋｇ掛かった時には切断できる強度にしてある。
【００２３】
前記は、索具の最大安全荷重を１００ｋｇと想定した場合であるが、連結帯４に９０ｋｇの荷重が掛かると、縫糸９が破断され、重ね部が開いて紅色部１１が現れる。これを見た使用者は限度強さで引っ張られたことを目得し、この安全索具の使用を中止し、新しい安全索具に代えることにする。従って、前記は目視できる安全表示である。
【００２４】
前記実施例は一例であるが、索具の一部にストレス計（引張力に応じて数値が変わる）を設置し、これにより荷重を即知する方法を採用することができる。
【００２５】
前記実施例は、円形のコイルスプリングを用いたが、コイルスプリングの断面形状、長さに限定はない。また、前記実施例のフック金具７、７及び連結金具の形状、構造に限定されるものではない。要は、筒状袋２内にコイルスプリングを収容した点に要旨があり、他の各点は適宜変更することできる。
【実施例２】
【００２６】
この発明の他の実施例を図３に基づいて説明する。連結帯４の一部に二枚の座板１２を止金６で固定し、該止金６にコイルスプリング１の端部１ａを固定すると共に、座板１２で挟着することにより、連結帯４にコイルスプリング１が固定される。
【００２７】
前記連結帯４を所定幅（例えば２ｃｍ、少なくとも連結帯４の幅よりも大きくする）に折り曲げて、強靱な縫糸９ａで斜めに（図３（ｂ））縫着する。前記縫糸９ａの強度は、織布よりなる筒状袋の強度より小さくしてある。例えば、筒状袋の引っ張り強度を１００ｋｇとすれば、縫糸の破断開始強度を９０ｋｇとしておくことにより、前記重ね合わせ部８の縫糸が早く破断し、危険を知らせることができる。前記折り曲げ部は、斜めに縫着してあるために、一斉破断よりも逐次破断になり易く、破断時に「ショックアブソーバ」の作用を期待することができる。従って、急速に破断するおそれは極めて少ないという特質がある。
【符号の説明】
【００２８】
１  コイルスプリング
２  筒状袋
３、４  連結帯
５  連結金具
６  止金
７  フック金具
８  重ね合わせ部
９  縫糸
１０  安全索具
【図１】
2012024870.tif 000003
【図２】
2012024870.tif 000004
【図３】
2012024870.tif 000005